(57)【特許請求の範囲】
【請求項１】
ベース部と、
前記ベース部に設けられ、取付孔を有する板材に前記ベース部を取付ける取付部とを備え、
前記取付部が、
前記取付孔に挿入される支柱部と、
前記支柱部から枝分かれしている枝部と、
前記枝部に設けられ、前記取付孔に前記支柱部が挿入される際に前記取付孔を貫通し、かつ、前記取付孔の縁に引っ掛かる抜止爪が一端のうち前記支柱部から見て裏側にあたる箇所から突出するよう設けられている抜止部とを有するクランプ具において、
前記抜止部の前記一端は、前記枝部よりも前記支柱部の先端側に配置され、前記抜止部の他端に比べて前記支柱部に近寄っており、かつ、前記他端が前記支柱部へ向かう方向へ動くと前記抜止爪ごと前記支柱部から離れるよう動き、
前記取付部が、前記抜止部の前記一端が前記抜止爪ごと前記支柱部から離れるよう前記抜止部が動くと前記抜止部の一端が前記抜止爪ごと前記支柱部から離れている状態を維持する維持部をさらに有していることを特徴とする、クランプ具。
【請求項２】
前記維持部が、
前記抜止爪の位置から見て前記抜止部のうち前記枝部の向こう側に設けられ、前記支柱部とは反対側に張出す梁部と、
前記梁部に設けられ、前記抜止部の前記一端が前記取付孔を貫通すると前記板材に接触して前記板材から反力を受ける接触部とを有することを特徴とする、請求項１に記載のクランプ具。
【請求項３】
前記接触部が、前記梁部から前記枝部の方へ向かって張出していることを特徴とする、請求項２に記載のクランプ具。
【請求項４】
前記維持部が、前記ベース部および前記支柱部の少なくとも一方に接続されることにより前記抜止部の一端が前記抜止爪ごと前記支柱部から離れている状態を維持する接続部を有することを特徴とする、請求項１〜３の何れか一項に記載のクランプ具。
【請求項５】
前記ベース部が、内周に保持爪が突出している保持部を有しており、
前記接続部が、前記保持爪に引っ掛かる接続爪を有していることを特徴とする、請求項４に記載のクランプ具。
【発明の詳細な説明】
【技術分野】
【０００１】
本発明は、板材に設けられた１つの取付孔に挿入されることでその板材に取付可能で、かつ、その板材の表裏からの突出高さを抑えることができるクランプ具に関するものである。
【背景技術】
【０００２】
特許文献１にはケーブルタイが開示されている。このケーブルタイは、柱状部と、矢尻型をしたスナップ片と、スナップ片に対向配置される脚片と、解除片とを備える。スナップ片は、柱状部の先端に設けられる。スナップ片は径方向に弾性変形可能である。解除片は、スナップ片の拡径された一端部にそれぞれ連結される。解除片は、手操作によってスナップ片を縮めることができる。基板に設けられた孔に挿入されたときにスナップ片が径方向に弾性変形する。弾性変形したスナップ片は脚片と共に基板を挟む。柱状部は、ストッパ部を備える。ストッパ部は孔内において柱状部が所定角度以上傾斜されることを阻止する。
【０００３】
特許文献１に示された発明によれば、基板に対する実装用部品の取付けおよび取外しを容易に行い得る。また、特許文献１に示された発明によれば、その実装用部品が自然に基板から離脱することを防止できる。しかしながら、特許文献１に開示された発明には、次に述べる問題点がある。その問題点とは、基板に設けられた孔にケーブルタイが挿入されたとき、スナップ片の先端部分が基板の孔から高く突出してしまうという問題点である。
【０００４】
特許文献２に開示された発明と特許文献３に開示された発明とは、上述した問題を解決できる。特許文献２には固定部材が開示されている。この固定部材は、本体と、本体から突出する支柱と、その支柱の先端に設けられる板状体と、本体から突出している突出片と、突出片の先端に設けられた突起とを備えている。板状体は、少なくとも一部が支柱の側方へ突出する。突出片は弾性変形可能である。特許文献２に開示されている固定部材を使用する場合、まず、板材に取付孔および位置決め孔を穿つ。次に、板材の表側から取付孔に板状体および支柱を挿し込む。そうすると、突起が板材の表側に押し当てられて突出片が弾性変形する。その状態で板材の表面と平行な方向へ固定部材をスライドさせると、板状体の一部が板材に重なる位置まで変位する。同時に、弾性変形した突出片が元の形に戻ろうとするため突起が位置決め孔にはまり込む。このため、板材に対して固定部材が固定される。特許文献２に示された発明によれば、板材の表側での操作で取外しができ、かつ、板材の裏側における突出量を抑制できる。
【０００５】
特許文献３には固定部材が開示されている。この固定部材は、本体と、挟持部と、連結部と、突起部とを備える。連結部は、本体と挟持部とで物を挟み得るように本体と挟持部とを連結する。誰かが挟持部と連結部とを板材に設けられた取付孔に挿入すると、その板材のうち取付孔の縁部分は挟持部と本体との間に挟まれている状態となる。突起部は、挟持部に設けられる。突起部は、本体と挟持部とで板材を挟んだ際にその板材の位置決め孔の縁に引っかかる状態となる。これにより、板材のうち取付孔の縁部分が本体と挟持部との間から抜出すことは阻止される。本体の一部が弾性変形可能である。このため、本体を取付面に向かって押付けると、挟持部、連結部および突起部が板材に対して相対的に変位する。その結果、板材の位置決め孔に突起部が引っかからない状態となる。特許文献３に示された発明によれば、板材の表側での操作で取外しができ、かつ、板材の裏側における突出量を抑制できる。
【０００６】
しかしながら、特許文献２に開示された発明と特許文献３に開示された発明とには、取付孔に加えて位置決め孔を板材に設けなければならないという問題点がある。
【０００７】
特許文献４に開示された発明は、上述した問題を解決できる。特許文献４には固定部材が開示されている。この固定部材は、本体と板材とを固定するために、本体側に設けられる。この固定部材は、外側へ突出する抜止部を先端に有する。この抜止部は、内側へ変位すると板材に穿たれた取付孔に対して抜き挿し可能になる。一方、この抜止部は、取付孔に挿し込まれた状態で外側へ変位すると板材の裏側に引っかかる状態となって取付孔から引き抜き不能になる。この固定部材は、表側当接部も有する。表側当接部は、抜止部の外側に設けられる。表側当接部は、抜止部を取付穴に挿し込んだ時に板材の表側に押し当てられる。これにより表側当接部と抜止部との間で板材を挟み込む状態となる。この固定部材は、挿入部も有する。挿入部は、本体に設けられる。挿入部は、抜止部の間に挿入される。挿入部は、そのような挿入に伴って抜止部を外側へ変位させて内側へ変位不能な状態にする。この固定部材は、係合部および被係合部も有する。これらは、一方が本体側、他方が抜止部側に設けられる。係合部および被係合部は、挿入部を抜止部の内側間に挿入した時に互いに係合する。これにより、挿入部を抜止部の内側間から変位不能にする。一方、係合部と被係合部との係合は、外力を加えることによって解除できる。この固定部材は、連結部も有する。連結部には、一端に抜止部、他端に本体または本体に連結された別の抜止部が連結されている。連結部は、抜止部の内側または外側への変位、および挿入部の抜止部の内側間への挿入を妨げないように変形する。特許文献４に示された発明によれば、板材の表側における操作で取付けおよび取外しを行うことができ、しかも、板材の裏側における突出量を抑制できる。
【先行技術文献】
【特許文献】
【０００８】
【特許文献１】特開２００３−２７８７２３号公報
【特許文献２】特開２００２−  ５４６１１号公報
【特許文献３】特開２００２−１６４６７３号公報
【特許文献４】特開２００２−    ５１３２号公報
【発明の概要】
【発明が解決しようとする課題】
【０００９】
しかしながら、上記特許文献４に開示された発明の場合、板材の表側における突出量が大きくなるという問題点がある。この問題点が生じるのは、挿入部を抜止部の間に挿入可能とする必要があるためである。
【００１０】
本発明の目的は、板材に設けられた１つの取付孔に挿入されることでその板材に取付可能で、かつ、その板材の表裏からの突出高さを抑えることができる、クランプ具を提供することにある。
【課題を解決するための手段】
【００１１】
上記目的を達成するために、本発明のある局面に従うと、クランプ具２０は、ベース部３０と、取付部３２とを備える。取付部３２は、ベース部３０に設けられる。取付部３２は、取付孔２１０を有する板材２００にベース部３０を取付ける。取付部３２が、支柱部４０と、枝部４２と、抜止部４４とを有する。支柱部４０は、取付孔２１０に挿入される。枝部４２は、支柱部４０から枝分かれしている。抜止部４４は、枝部４２に設けられる。抜止部４４は、取付孔２１０に支柱部４０が挿入される際に取付孔２１０を貫通する。抜止部４４の一端のうち支柱部４０から見て裏側にあたる箇所から突出するよう、取付孔２１０の縁に引っ掛かる抜止爪５０が設けられている。抜止部４４の一端は、枝部４２よりも支柱部４０の先端側に配置される。抜止部４４の一端は、抜止部４４の他端に比べて支柱部４０に近寄っている。抜止部４４の一端は、他端が支柱部４０へ向かう方向へ動くと、抜止爪５０ごと支柱部４０から離れるよう動く。取付部３２は、維持部５２をさらに有している。維持部５２は、抜止部４４の一端が抜止爪５０ごと支柱部４０から離れるよう抜止部４４が動くと抜止部４４の一端が抜止爪５０ごと支柱部４０から離れている状態を維持する。
【００１２】
上述したクランプ具２０において、枝部４２が支柱部４０から枝分かれしている。枝部４２に抜止部４４が設けられている。抜止部４４の一端は、枝部４２よりも支柱部４０の先端側に配置される。抜止部４４の一端のうち支柱部４０から見て裏側にあたる箇所から突出するよう、取付孔２１０の縁に引っ掛かる抜止爪５０が設けられている。これにより、取付部３２のうち支柱部４０の高さを抑えることができる。支柱部４０の高さを抑えることができるので、抜止部４４に取付孔２１０を貫通させたとき、取付部３２全体としてみた場合、取付部３２のうち板材２００を貫通した部分の板材２００からの突出高さを抑えることができる。しかも、取付孔２１０が支柱部４０と抜止部４４の抜止爪５０とが通過できる直径であれば、取付部３２は板材２００にベース部３０を取付けることができる。さらに、維持部５２は、抜止部４４の一端が抜止爪５０ごと支柱部４０から離れている状態を維持できればよい。そのため、維持部５２の高さを抑えることが可能である。これにより、板材２００に設けられた１つの取付孔２１０に挿入されることでその板材２００に取付可能で、かつ、その板材２００の表裏からの突出高さを抑えることができる。
【００１３】
また、上述した維持部５２が、梁部６０と、接触部６２とを有することが望ましい。梁部６０は、抜止爪５０の位置から見て抜止部４４のうち枝部４２の向こう側に設けられる。接触部６２は、梁部６０に設けられ、支柱部４０とは反対側に向かって張出す。接触部６２は、抜止部４４の一端が取付孔２１０を貫通すると板材２００に接触して板材２００から反力を受ける。
【００１４】
梁部６０は、接触部６２が反力を受けると抜止部４４の他端にモーメントを伝える。これにより、抜止部４４はそのモーメントによって向きを変える。抜止部４４が向きを変えると、抜止部４４の一端は支柱部４０から離れる。この間に取付孔２１０の縁へ抜止爪５０が引っ掛かると、梁部６０および接触部６２の弾性力と抜止爪５０の摩擦力とによって抜止部４４の一端が支柱部４０から離れている状態を維持できる。その結果、抜止部４４に取付孔２１０を貫通させるとクランプ具２０の取付を完了させることができる。
【００１５】
もしくは、上述した接触部６２が、梁部６０から枝部４２の方へ向かって張出していることが望ましい。
【００１６】
梁部６０から枝部４２の方へ向かって接触部６２が張出しているとき、接触部６２が板材２００に接触したことにより抜止部４４が受けるモーメントは、次に述べる向きのモーメントである。その向きとは、抜止部４４のうち抜止爪５０が設けられている方の一端が支柱部４０から離れる向きである。このような向きのモーメントが抜止部４４にかかるので、接触部６２が支柱部４０とは反対側に向かって張出している場合に比べ、抜止爪５０はしっかりと取付孔２１０の縁へ引っ掛かることになる。
【００１７】
また、上述した維持部５２が接続部６４を有することが望ましい。接続部６４は、ベース部３０および支柱部４０の少なくとも一方に接続されることにより抜止部４４の一端が抜止爪５０ごと支柱部４０から離れている状態を維持する。
【００１８】
維持部５２が接続部６４を有すると、ベース部３０および支柱部４０の少なくとも一方との接続状態が維持される間、抜止部４４の一端が抜止爪５０ごと支柱部４０から離れている状態を安定して維持できる。
【００１９】
もしくは、上述したベース部３０が、保持部８０を有していることが望ましい。保持部８０の内周に保持爪１００が突出している。この場合、接続部６４が接続爪７０を有している。接続爪７０は保持爪１００に引っ掛かる。
【発明の効果】
【００２０】
本発明によれば、板材に設けられた１つの取付孔に挿入されることでその板材に取付可能で、かつ、その板材の表裏からの突出高さを抑えることができる、クランプ具を提供できる。
【図面の簡単な説明】
【００２１】
【図１】本発明の一実施例にかかるクランプ具の正面図である。
【図２】本発明の一実施例にかかるクランプ具のベース部と取付部とを取付部の先端側から見た斜視図である。
【図３】本発明の一実施例にかかるクランプ具のベース部と取付部とをバンド部側から見た斜視図である。
【図４】本発明の一実施例にかかるクランプ具のベース部と取付部とをこれらの斜め側面から見た図である。
【図５】本発明の一実施例にかかる引締部の断面図である。
【図６】本発明の一実施例において板材の取付孔にクランプ具の支柱部と抜止部とが進入しようとしている状況を示す図である。
【図７】本発明の一実施例において接触部が反力を受けたことにより抜止部の一端が支柱部から離れつつあるときの板材の断面図である。
【図８】本発明の一実施例において接続爪が保持爪にひっかかっているときの板材の断面図である。
【発明を実施するための形態】
【００２２】
以下、図面を参照しつつ、本発明の実施例について説明する。以下の説明では、同一の部品には同一の符号を付してある。それらの名称および機能も同一である。したがって、それらについての詳細な説明は繰返さない。
【００２３】
［クランプ具の構成］
図１は、本実施例にかかるクランプ具２０の正面図である。図１を参照しつつ、本実施例にかかるクランプ具２０の構成を説明する。本実施例にかかるクランプ具２０は、ベース部３０と、取付部３２と、バンド部３４とを備える。ベース部３０は、取付部３２とバンド部３４とのベースとなる部材である。ベース部３０を、バンド部３４が貫通する。取付部３２はベース部３０から突出している。取付部３２は、取付孔２１０を有する板材２００にベース部３０を取付けるための部分である。バンド部３４は、電線を始めとするさまざまな部材を束ねるための部分である。バンド部３４の具体的な構造は周知である。したがってここではその詳細な説明は行わない。本実施例の場合、ベース部３０と取付部３２とバンド部３４とは一体になっている。本実施例にかかるクランプ具２０は樹脂製である。
【００２４】
［取付部の構成］
図２は、本実施例にかかるベース部３０と取付部３２とを取付部３２の先端側から見た斜視図である。図２を参照しつつ、本実施例にかかる取付部３２の構成を説明する。本実施例にかかる取付部３２は、支柱部４０と、枝部４２と、抜止部４４とを有する。本実施例の場合、支柱部４０と枝部４２と抜止部４４とは一体となっている。
【００２５】
支柱部４０は、ベース部３０に直接つながっている部分である。支柱部４０は、上述した取付孔２１０に挿入される。
【００２６】
枝部４２は、支柱部４０から枝分かれしている部分である。本実施例の場合、枝部４２はベース部３０に対する支柱部４０の付け根から見て末広がりとなっている。本実施例の場合、枝部４２は２箇所に設けられている。これらの枝部４２は支柱部４０を挟んで対称に配置されている。
【００２７】
抜止部４４は、枝部４２の先端に設けられている。抜止部４４は、上述した取付孔２１０に支柱部４０が挿入される際、支柱部４０と共にその取付孔２１０を貫通する。抜止部４４の両端のうちベース部３０に対向していない方の端は、抜止部４４の両端のうちベース部３０に対向している方の端に比べ、支柱部４０に近寄っている。本実施例の説明では、抜止部４４の両端のうち前者の端を「抜止部４４の一端」と称する。抜止部４４の両端のうち後者の端を「抜止部４４の他端」と称する。
【００２８】
抜止部４４の一端には抜止爪５０が設けられている。抜止部４４の他端には、維持部５２が設けられている。抜止爪５０は、上述した取付孔２１０の縁に引っ掛かる。維持部５２は、次に述べる状態を維持するための部分である。その状態とは、抜止部４４の一端が支柱部４０から離れている状態である。
【００２９】
維持部５２は、梁部６０と、接触部６２と、接続部６４とを有する。梁部６０は、抜止部４４の他端に設けられる。梁部６０は、接触部６２が反力を受けると抜止部４４の他端にモーメントを伝える。接触部６２は、梁部６０の自由端に設けられる。接触部６２は、抜止部４４の一端が取付孔２１０を貫通すると、その取付孔２１０を有する板材２００に接触して、その板材から反力を受ける。接続部６４も、梁部６０の自由端に設けられる。接続部６４は、梁部６０を挟んで接触部６２の反対側に設けられる。本実施例の場合、接続部６４がベース部３０に接続されることにより、抜止部４４の一端が支柱部４０から離れている状態が維持される。
【００３０】
本実施例の場合、接触部６２は梁部６０と同様に梁状である。本実施例の場合、接触部６２は梁部６０から枝部４２の方へ向かって張出している。
【００３１】
接続部６４は、接続爪７０と、解除レバー７２とを有する。接続爪７０は、抜止部４４の一端が支柱部４０から離れている状態を維持するためのものである。接続爪７０は、後述する保持爪１００に引っ掛かることによって、その状態を維持できる。解除レバー７２は、接続爪７０が保持爪１００に引っかかっている状態を解除するためのものである。
【００３２】
［ベース部の構成］
図３は、本実施例にかかるベース部３０と取付部３２とをバンド部３４側から見た斜視図である。図４は、ベース部３０と取付部３２とをこれらの斜め側面から見た図である。図５は、引締部８２の断面図である。図３ないし図５を参照しつつ、本実施例にかかるベース部３０の構成を説明する。本実施例にかかるベース部３０は、保持部８０と、引締部８２とを有する。保持部８０は、２箇所に設けられている。それらの保持部８０は、引締部８２を挟むように配置されている。保持部８０に接続部６４の一部が挿入される。保持部８０は、接続部６４の一部が挿入されると、その状態を保持する。引締部８２にはバンド部３４が挿入される。
【００３３】
保持部８０は、屋根板９０と、支柱９２と、外壁９４と、底板９６とを有する。屋根板９０は、保持爪１００を有する。接続爪７０は、屋根板９０のうち接続爪７０に対向する面に設けられる。保持爪１００に接続爪７０が引っ掛かると、接続部６４は動けなくなる。支柱９２は、外壁９４と共に、屋根板９０と底板９６との間を接続する。底板９６は、屋根板９０と共に接続部６４を挟み込む。屋根板９０と支柱９２と外壁９４と底板９６とにより、保持部８０にホールが形成されている。接続部６４はこのホールに挿入されることとなる。
【００３４】
引締部８２はバンド貫通孔１１０を有している。バンド貫通孔１１０の内周面にバンド抜止爪１２０が設けられている。バンド抜止爪１２０には歯１３０が設けられている。引締部８２に挿入されたバンド部３４の先端は、この歯１３０に引っかかり抜けなくなる。
【００３５】
［クランプ具の使用方法］
以下、取付孔２１０を有する板材２００と図示しない電線の束とを接続する場合の、本実施例にかかるクランプ具２０の使用方法を説明する。
【００３６】
まず、クランプ具２０のバンド部３４を電線の束に巻付ける。バンド部３４を電線の束に巻付けたら、バンド部３４の先端を引締部８２のバンド貫通孔１１０に挿入する。バンド部３４の先端がバンド貫通孔１１０を貫通すると、バンド部３４の歯にバンド抜止爪１２０の歯１３０が引っかかる。これにより、バンド部３４はバンド貫通孔１１０から抜けなくなる。
【００３７】
この状態で、作業者はクランプ具２０の支柱部４０と抜止部４４とを板材２００の取付孔２１０に挿入する。図６は、板材２００の取付孔２１０にクランプ具２０の支柱部４０と抜止部４４とが進入しようとしている状況を示す図である。
【００３８】
支柱部４０と抜止部４４の一端とが取付孔２１０を貫通しても、接触部６２は、取付孔２１０を貫通しない。接触部６２は、支柱部４０と抜止部４４の一端とが取付孔２１０を貫通したとき、その取付孔２１０の縁から反力を受ける。反力を受けるので、接触部６２はたわむ。接触部６２がたわむ際、取付孔２１０の縁から受ける反力によって、抜止部４４全体がモーメントを受ける。モーメントを受けた抜止部４４は枝部４２のいずれかの箇所を回転中心として回る。枝部４２のいずれかの箇所を回転図中心として回るにつれ、抜止部４４の一端は支柱部４０から離れる。これにより抜止爪５０は取付孔２１０の縁に引っ掛かる。図７は、接触部６２が反力を受けたことにより抜止部４４の一端が支柱部４０から離れつつあるときの板材２００の断面図である。
【００３９】
抜止部４４が回転するにつれ、接続爪７０は、保持部９０の中に入っていく。保持部９０の中に入ると、接続爪７０は、保持爪１００に引っ掛かる。接続爪７０が保持爪１００に引っ掛かるので、抜止部４４の一端が支柱部４０から離れている状態が維持される。その状態が維持されるので、抜止爪５０は取付孔２１０の縁に引っ掛ったまま外れなくなる。これにより、電線と板材２００とは接続される。図８は、接続爪７０が保持爪１００に引っ掛っているときの板材２００の断面図である。
【００４０】
［本実施例にかかるクランプ具の効果］
以上のようにして、本実施例に係るクランプ具２０によれば、電線の束と取付孔２１０を有する板材２００とを接続できる。このとき、枝部４２が支柱部４０から枝分かれしている。枝部４２に抜止部４４が設けられている。抜止部４４の一端は、枝部４２よりも支柱部４０の先端側に配置される。抜止部４４の一端には、取付孔２１０の縁に引っ掛かる抜止爪５０が設けられている。これにより、支柱部４０の高さを抑えることができる。支柱部４０の高さを抑えることができるので、抜止部４４に取付孔２１０を貫通させたとき、取付部３２全体としてみた場合、取付部３２のうち板材２００を貫通した部分の板材２００からの突出高さを抑えることができる。取付孔２１０を有する板材２００にベース部３０を取付けたときの取付部３２の突出高さを抑えることができる。しかも、支柱部４０と抜止部４４との先端が通過できるだけの孔が板材２００に設けられていれば上述した接続が可能なので取付孔２１０をいくつも設ける必要がない。
【００４１】
［変形例の説明］
今回開示された実施例はすべての点で例示である。本発明の範囲は上述した実施例に基づいて制限されるものではなく、本発明の趣旨を逸脱しない範囲で種々の設計変更をしてもよいのはもちろんである。
【００４２】
例えば、クランプ具２０は樹脂製で一体となっているものに限定されない。クランプ具２０は、それを構成する各部分が別々に製作され互いに接続されたものであってもよい。
【００４３】
バンド部３４に代えて電線を保持するための図示しないフックなどが設けられていてもよい。
【００４４】
枝部４２と抜止部４４との数は、２つずつでなくともよい。１つずつでもよいし、それぞれ３つ以上設けられていてもよい。
【００４５】
抜止部４４の一端が支柱部４０から離れている状態を維持部５２が維持するための仕組みは上述したものに限定されない。接続部６４は、保持部９０ではなく、支柱部４０に設けられた図示しない穴の内周面の爪に引っ掛かってもよい。接続部６４は、保持部９０の内周面から受ける摩擦力によってベース部３０に接続されてもよい。接続部６４は、保持部９０の内周面から受ける摩擦力ではなく、支柱部４０に設けられた図示しない穴の内周面から受ける摩擦力によって支柱部４０に接続されてもよい。
【００４６】
接続部６２の向きは上述したものに限定されない。接触部６２は、支柱部４０とは反対側に向かって張出していてもよい。
【００４７】
梁部６０が張出している位置は抜止部４４の他端でなくともよい。梁部６０は抜止部４４のうち抜止爪５０の位置から見て枝部４２の向こう側に設けられていればよい。
【符号の説明】
【００４８】
２０…クランプ具
３０…ベース部
３２…取付部
３４…バンド部
４０…支柱部
４２…枝部
４４…抜止部
５０…抜止爪
５２…維持部
６０…梁部
６２…接触部
６４…接続部
７０…接続爪
７２…解除レバー
８０…保持部
８２…引締部
９０…屋根板
９０…保持部
９２…支柱
９４…外壁
９６…底板
１００…保持爪
１１０…バンド貫通孔
１２０…バンド抜止爪
１３０…歯
２００…板材
２１０…取付孔
【図１】
0005639867.tif 000002
【図２】
0005639867.tif 000003
【図３】
0005639867.tif 000004
【図４】
0005639867.tif 000005
【図５】
0005639867.tif 000006
【図６】
0005639867.tif 000007
【図７】
0005639867.tif 000008
【図８】
0005639867.tif 000009